(57)【要約】  【課題】  雄コネクタを有するポータブル機器を、雌コネクタを有するベースに対して着脱する場合に、雄コネクタの結合された雌コネクタに揺動する力が加わるために、雄コネクタと雌コネクタとの間に無理な力が加わって、故障の原因となる。  【解決手段】  ベース１に対して雌コネクタ２が揺動可能となるように、雌コネクタ２の結合されたプリント板５をホルダ６に結合し、ホルダ６をベース１に揺動自在に取りつける。ベース１へのホルダ６の取り付けは、ベース１の一対の円筒部１ｂにホルダ６の一対の円筒部６ａを嵌め込んで固定ねじ７により抜け止めを行い、ベース１に対するホルダ６の揺動を可能にするため、円筒部６ａの一部にスリット６ｄを形成して撓み易い弾性片６ｅを複数設け、弾性片６ｅのベース１側を内側へ突出させて軸受部６ｇを形成した。  【選択図】  図１
2005347188.tif 000002
【特許請求の範囲】
【請求項１】
相互に接続される雌コネクタと雄コネクタとのいずれか一方のコネクタを有するベースと、他方のコネクタを有する機器とで構成され、前記ベースに対して前記機器を接近離反させ、前記他方のコネクタを前記一方のコネクタに着脱させるようにしたコネクタのジョイント構造において、
前記一方のコネクタを、該一方のコネクタの長辺と略平行な揺動軸を中心として揺動可能に、前記ベースに設けたことを特徴とするコネクタのジョイント構造。
【請求項２】
請求項１に記載のコネクタのジョイント構造において、
前記一方のコネクタはプリント板に取り付けられ、該プリント板は前記ベースの内部に揺動可能に取り付けられ、
前記一方のコネクタの接続端は、前記ベースの開口部から外部へ突出していることを特徴とするコネクタのジョイント構造。
【請求項３】
請求項２に記載のコネクタのジョイント構造において、
前記プリント板の前記ベースへの取り付けは、前記プリント板をホルダに結合し、該ホルダの両側に一体形成された一対の筒部を、前記ベースに突出一体形成された一対の柱部に嵌め込んで、前記ホルダを前記ベースに揺動自在に結合したことを特徴とするコネクタのジョイント構造。
【請求項４】
請求項３に記載のコネクタのジョイント構造において、
前記ホルダの前記ベース側の端部を中心として前記ホルダを揺動自在にするために、前記筒部と前記柱部との間に隙間を形成し、前記筒部における前記ベース側の端部を内側へ突出させて軸受部を形成し、前記筒部の長さ方向での略中間部と前記軸受部との間に弾性部を形成したことを特徴とするコネクタのジョイント構造。
【請求項５】
請求項４に記載のコネクタのジョイント構造において、
前記弾性部は、前記筒部に軸心に沿うスリットを形成し、かつ該スリットを形成した部分と前記ホルダとを分離することにより形成したことを特徴とするコネクタのジョイント構造。
【請求項６】
請求項３〜５のいずれかに記載のコネクタのジョイント構造において、前記ホルダにおける前記ベース側の端部に、前記前記ホルダの揺動を円滑にするための凸部を形成したことを特徴とするコネクタのジョイント構造。
【発明の詳細な説明】
【技術分野】
【０００１】
本発明は、コネクタのジョイント構造に関する。
【背景技術】
【０００２】
従来のコネクタのジョイント構造としては、特許文献１に記載のものがある。  また、図４に示すのは一般的なポータブル機器と、ポータブル機器を充電するための充電台とのコネクタのジョイント構造の要部を示すものである。
【０００３】
充電台の一部を構成するベース１に略直角にガイド板１ａが一体形成され、図４（ｂ）に示すように断面が略Ｌ字形状となっている。ベース１には、上方へ向かって突出する雌コネクタ２が設けられる一方、ポータブル機器３には凹部３ａを介して雄コネクタ４が内臓され、雄コネクタ４は雌コネクタ２に着脱自在に結合される。
【０００４】
ベース１への雌コネクタ２の取付け構造を図５，６に示す。雌コネクタ２はプリント板５に結合されており、このプリント板５がベース１に結合されている。即ち、以下のようになっている。一方、プリント板５はベース１の上面と略直角に配置され、該プリント板５はホルダ６にねじ１０を介して取り付けられている。ホルダ６は、ベース１に以下のようにして取りつけられている。
【０００５】
図６に示すように、ベース１には、ベース１の上面と略直角に、一対の円筒部１ｂが一体形成されている。一方、ホルダ６の両側には、円筒部６ａがホルダ６と一体形成されている。そして、一対の円筒部６ａに一対の円筒部１ｂを挿入した状態で、夫々の円筒部１ｂの先端に固定ねじ７をねじ込むことにより、ベース１にホルダ６が取りつけられている。円筒部１ｂと円筒部６ａとの間には、リング状の弾性部材８が介装されている。
【０００６】
図４（ｂ）において、ポータブル機器３を矢印（イ）方向へ差し込んだり抜いたりすることにより、雌コネクタ２への雄コネクタ４の着脱を行って、ポータブル機器３の充電を行っている。図６に示すように、円筒部１ｂと円筒部６ａとの間には隙間９設けられ、リング状の弾性部材８が介在するので、ベース１に対してホルダ６は図５（ａ）のＸＹ方向へ少しだけ移動することが可能であり、ポータブル機器３のでの水平面上（ＸＹ平面上）での位置ずれを吸収することができる。
【特許文献１】特開平１１−８０１２号公報
【発明の開示】
【発明が解決しようとする課題】
【０００７】
ところが、ポータブル機器３をベース１から抜き取る場合は、一般的には図４（ｂ）に示すように、矢印（ロ）（ハ）の軌道に沿ってポータブル機器３を傾けた後に抜き取るということなってしまう。このとき、雌コネクタ２はベース１に対して固定されて回動できない構成であるため、雌コネクタ２と雄コネクタ４との間に無理な力が加わって、故障の原因となる。
【０００８】
そこで本発明は、上記の課題を解決したコネクタのジョイント構造を提供することを目的とする。
【課題を解決するための手段】
【０００９】
請求項１に係る発明は、相互に接続される雌コネクタと雄コネクタとのいずれか一方のコネクタを有するベースと、他方のコネクタを有する機器とで構成され、前記ベースに対して前記機器を接近離反させ、前記他方のコネクタを前記一方のコネクタに着脱させるようにしたコネクタのジョイント構造において、前記一方のコネクタを、該一方のコネクタの長辺と略平行な揺動軸を中心として揺動可能に、前記ベースに設けたことを特徴とする。
【００１０】
このようなコネクタのジョイント構造では、一方のコネクタに対して他方のコネクタを着脱する際に、一方のコネクタを、該一方のコネクタの長辺と略平行な揺動軸を中心として揺動させることが可能となり、双方のコネクタ間に無理な力が加わらない。
【００１１】
請求項２に係る発明は、請求項１に記載のコネクタのジョイント構造において、前記一方のコネクタはプリント板に取り付けられ、該プリント板は前記ベースの内部に揺動可能に取り付けられ、前記一方のコネクタの接続端は、前記ベースの開口部から外部へ突出していることを特徴とする。
【００１２】
このようなコネクタのジョイント構造では、一方のコネクタはプリント板に取りつけられており、プリント板の揺動と共に一方のコネクタが揺動する。
【００１３】
請求項３に係る発明は、請求項２に記載のコネクタのジョイント構造において、前記プリント板の前記ベースへの取り付けは、前記プリント板をホルダに結合し、該ホルダの両側に一体形成された一対の筒部を、前記ベースに突出一体形成された一対の柱部に嵌め込んで、前記ホルダを前記ベースに揺動自在に結合したことを特徴とする。
【００１４】
このようなコネクタのジョイント構造では、ホルダの両側に一体に形成された一対の筒部を、ベースに一体形成された一対の柱部に嵌め込むことで、ホルダがベースに対して揺動自在となっており、ホルダと共にプリント板が揺動する。
【００１５】
請求項４に係る発明は、請求項３に記載のコネクタのジョイント構造において、前記ホルダの前記ベース側の端部を中心として前記ホルダを揺動自在にするために、前記筒部と前記柱部との間に隙間を形成し、前記筒部における前記ベース側の端部を内側へ突出させて軸受部を形成し、前記筒部の長さ方向での略中間部と前記軸受部との間に弾性部を形成したことを特徴とする。
【００１６】
このようなコネクタのジョイント構造では、弾性部が弾性変形することにより、ホルダのベース側端部を中心としてホルダが揺動可能であり、このため、プリント板と、更には一方のコネクタとが揺動する。
【００１７】
請求項５に係る発明は、請求項４に記載のコネクタのジョイント構造において、前記弾性部は、前記筒部に軸心に沿うスリットを形成し、かつ該スリットを形成した部分と前記ホルダとを分離することにより形成したことを特徴とする。
【００１８】
このようなコネクタのジョイント構造では、ホルダの筒部にスリットを形成し、スリットを形成した部分をホルダから分離したことにより、剛性を有する筒部が撓みやすくなり、この部分が弾性部として機能する。
【００１９】
請求項６に係る発明は、請求項３〜５のいずれかに記載のコネクタのジョイント構造において、前記ホルダにおける前記ベース側の端部に、前記前記ホルダの揺動を円滑にするための凸部を形成したことを特徴とする。
【００２０】
このようなコネクタのジョイント構造では、凸部の周囲に空間が形成されるので、該凸部の先端を揺動軸としてホルダが揺動し易くなる。
【発明の効果】
【００２１】
本発明に係るコネクタのジョイント構造によれば、一方のコネクタの接続端に対して他方のコネクタを着脱する際に、一方のコネクタが、該一方のコネクタの長辺と略平行な揺動軸を中心として揺動するため、他方のコネクタを着脱する際に、双方のコネクタ間に無理な力が加わることがない。
【発明を実施するための最良の形態】
【００２２】
以下、本発明によるコネクタのジョイント構造の実施の形態を説明する。なお、本実施の形態は前記従来のコネクタのジョイント構造に改良を加えたものなので、従来のコネクタのジョイント構造と同一部分には同一符号を付して説明する。
【００２３】
図１〜図３に示すように、相互に接続される雌コネクタと雄コネクタとのうちの、雌コネクタ２が図示しない充電台のベース１に取り付けられ、雄コネクタが図示しないポータブル機器に取りつけられている。そして、図３（ｂ）の矢印（イ）で示すように、雌コネクタ２が、該雌コネクタ２の横断面形状の長辺である図３（ａ）の左右方向の辺と略平行な揺動軸を中心として、揺動自在に設けられている。この揺動軸とは、後述する突起部６ｂの先端部を意味する。
【００２４】
雌コネクタ２はプリント板５に取り付けられており、雄コネクタが接続される端部である雌コネクタ２の接続端をプリント板５の上端から突出させた状態で、プリント板５は前記ベース１の内部、つまりはベース１の下方に揺動自在に取り付けられている。そして、雌コネクタ２の接続端は、ベース１の開口部１ｃからベース１の外部である上部へ突出している。
【００２５】
プリント板５のベース１への取り付けは、プリント板５をホルダ６に結合し、該ホルダ６をベース１に取り付けることで行われている。プリント板５のホルダ６への結合は、２本の固定ねじ１０を介して行われており、ホルダ６に形成された凹部６ｃに雌コネクタ２が嵌りこんでいる。ホルダ６のベース１への取り付けは、ホルダ６の両側に一体形成した一対の円筒部６ａを、ベース１の下面に一体に突出形成した一対の円筒部（円柱部）１ｂに嵌め込むことによって行われている。図１に示すように、円筒部１ｂにはめねじ部１ｄが形成されており、該めねじ部１ｄには、円筒部６ａの内径寸法よりも大きい外径寸法の頭部を有する固定ねじ７が、ねじ込まれている。なお、円筒部１ｂは円柱形であっても良い。
【００２６】
ベース１に対してホルダ６を揺動自在にするため、以下のように構成されている。図３に示すように、円筒部６ａと円筒部１ｂとの間には隙間９が形成され、円筒部６ａにおけるベース１側の端部を内側へ突出させて軸受部６ｇが形成されている。そして、軸受部６ｇの内周面に円筒部１ｂが当接している。円筒部６ａの長さ方向での略中間部とベース１側の端部との間には弾性部が形成されている。即ち、円筒部６ａの上半分の部分には、剛性を有する円筒部６ａの軸心に沿うスリット６ｄが円周方向に９０度毎に４つの形成され、撓み易い弾性片（弾性部）６ｅが４本形成されている。弾性片６ｅの部分の撓みの動きを拘束しないように、弾性片６ｅの部分とホルダ６とが分離されている。
【００２７】
このほか、ベース１に対するホルダ６の揺動が、抵抗なく円滑に行えるように、ホルダ６のベース側端部には、ホルダ６と一体に畝状の凸部６ｂが形成されている。この凸部６ｂは、雌コネクタ２の長辺と略平行に形成されている。
【００２８】
更に、弾性片６ｅが撓んだ際に、ホルダ６の円筒部６ａの下端部が固定ねじ７の頭部と干渉しないように、図３（ｂ）に示すように円筒部６ａの下端部には、円弧部６ｆが形成されている。円弧部６ｆは、凸部６ｂの先端を中心とする半径Ｒの円弧に沿って形成されている。
【００２９】
次に、コネクタのジョイント構造の作用を説明する。このようなコネクタのジョイント構造では、ベース１に対してポータブル機器を接近・離させ、雌コネクタ２の接続端に対して図示しない雄コネクタを着脱する際に、雄コネクタを雌コネクタ２と共に、雌コネクタ２の長辺と略平行な揺動軸を中心として、揺動させることが可能となり、双方のコネクタ間に無理な力が加わらない。
【００３０】
即ち、以下のようになる。図示しない雄コネクタから雌コネクタ２に加わる力がプリント板５を介してホルダ６に伝わり、ホルダ６の弾性片６ｅの部分が撓む。すると、図３（ｂ）に矢印（イ）で示すように、ホルダ６は雌コネクタ２の長辺と略平行な凸部６ｂの先端を中心として揺動し、ホルダ６上のプリント板５も揺動する。これにより、プリント板５上の雌コネクタ２も揺動する。凸部６ｂの周囲に空間が形成されているので、ホルダ６が凸部６ｂの先端を中心として円滑に揺動する。ベース１に対してホルダ６を揺動自在にするために、従来はリング状の弾性部材を、円筒部６ａと円筒部１ｂとの間に設けていたが、弾性片６ｅを形成することで対応しているので、従来に比べて部品点数が少なくて済む。
【００３１】
なお、本実施の形態では、充電台のベースに一方のコネクタを設け、ポータブル機器に他方のコネクタを設け、ポータブル機器を充電台に接続して充電するための構成の例として示したが、充電台とポータブル機器との接続に限るものではなく、機器と種々のものとの接続に用いることができる。
【００３２】
また、ベースに雌コネクタを取りつけた場合を示したが、雌コネクタに代えて雄コネクタを取りつけるようにしてもよい。更に、ホルダのベース側端部に凸部を形成したが、ホルダに代えてベースに凸部を形成することもできる。
【図面の簡単な説明】
【００３３】
【図１】コネクタのジョイント構造におけるベース側を示す分解斜視図（実施の形態）。
【図２】コネクタのジョイント構造におけるベース側に係り、（ａ）は一部破断して示す平面図、（ｂ）は正面図、（ｃ）は右側面図（実施の形態）。
【図３】コネクタのジョイント構造におけるベース側に係り、（ａ）は図２のＢ−Ｂ断面図、（ｂ）は図２のＣ−Ｃ断面図（実施の形態）。
【図４】ベースのコネクタにポターブル機器のコネクタを接続した従来のコネクタのジョイント構造に係り、（ａ）は正面図、（ｂ）は右側面図。
【図５】従来のコネクタのジョイント構造におけるベース側に係り、（ａ）は平面図、（ｂ）は正面図、（ｃ）は右側面図。
【図６】図５のＡ−Ａ矢視図。
【符号の説明】
【００３４】
１…ベース
１ｂ…円筒部
２…雌コネクタ
５…プリント板
６…ホルダ
６ａ…円筒部
６ｂ…凸部
６ｄ…スリット
６ｅ…弾性片
６ｇ…軸受部
９…隙間
【図１】
2005347188.tif 000003
【図２】
2005347188.tif 000004
【図３】
2005347188.tif 000005
【図４】
2005347188.tif 000006
【図５】
2005347188.tif 000007
【図６】
2005347188.tif 000008